(57)【要約】      （修正有）【課題】施工性を低下させることなく、衛生設備機器の出口部と排水配管の入口部との位置関係が所定の位置関係からずれた状態で施工されても漏水を防止することが可能な衛生設備機器を提供する。【解決手段】排水路を備え、建物躯体に設けられている排水配管２００の入口部２０２に排水路１４０の出口部１４２を挿入して連通させる衛生設備機器において、排水路１４０の出口部１４２には、排水配管２００の入口部２０２と排水路１４０の出口部１４２との間の水密を保持するパッキン１６０を備え、このパッキン１６０は、排水路１４０の出口部１４２に外嵌される内筒部１６２と、この内筒部１６２に連続して形成され排水路１４０の出口部１４２の上流側から下流側へ向けて変形可能な変形部１６４と、この変形部１６４に連続して形成され変形部が変形することで排水配管２００の入口部２０２を外側から覆うことが可能な外筒部１６６と、を有する。【選択図】図２
2014173282.tif 000002
【特許請求の範囲】
【請求項１】
排水路を備え、建物躯体に設けられている排水配管の入口部に前記排水路の出口部を挿入して連通させる衛生設備機器において、
前記排水路の前記出口部には、前記排水配管の前記入口部と前記排水路の前記出口部との間の水密を保持するパッキンを備え、
このパッキンは、前記排水路の前記出口部に外嵌される内筒部と、この内筒部に連続して形成され前記排水路の前記出口部の上流側から下流側へ向けて変形可能な変形部と、この変形部に連続して形成され前記変形部が変形することで前記排水配管の前記入口部を外側から覆うことが可能な外筒部と、を有する衛生設備機器。
【請求項２】
前記パッキンの前記内筒部は、その外周から突出するリング状の弾性リップを有する請求項１に記載の衛生設備機器。
【請求項３】
前記排水路の前記出口部の下流端は、その外周から突出するリブ部を有する請求項１または２に記載の衛生設備機器。
【請求項４】
前記外筒部の前記変形部側とは逆側の端部には、その内周から突出する凸部が設けられている請求項１から３のいずれか１項に記載の衛生設備機器。
【発明の詳細な説明】
【技術分野】
【０００１】
本発明は、建物躯体に設けられている排水配管に接続される衛生設備機器に関する。
【背景技術】
【０００２】
従来、排水配管と衛生設備機器との接続構造として、衛生設備機器の排水路の出口部にパッキンを取り付け、建物躯体に設けられている排水配管の入口部へ、衛生設備機器の出口部を挿入するものが知られている（例えば、特許文献１参照。）。ここで、パッキンはその外周から突出する襞状の弾性リップを有し、衛生設備機器の出口部と排水配管の入口部との間の水密を保持する。
【先行技術文献】
【特許文献】
【０００３】
【特許文献１】実用新案登録第２５６９６２１号公報
【発明の概要】
【発明が解決しようとする課題】
【０００４】
上述した従来の衛生設備機器においては、衛生設備機器の出口部と排水配管の入口部との位置関係が所定の位置関係から極端にずれた状態で施工された場合、パッキンと排水配管の入口部との間に隙間が生じる可能性があった。万一、隙間が生じた場合、パッキンが十分なシール性を発揮することができず、漏水が生じてしまうという懸念があった。また、隙間を生じさせないためにパッキンの弾性リップを大きくした場合、パッキンを取り付けた衛生設備機器の出口部を排水配管の入口部に挿入する際に必要とされる力が大きくなり、施工性が下がる問題があった。
【０００５】
本発明は、上述した問題を解決するためになされたものであり、施工性を低下させることなく、衛生設備機器の出口部と排水配管の入口部との位置関係が所定の位置関係からずれた状態で施工されても漏水を防止することが可能な衛生設備機器を提供することを目的とする。
【課題を解決するための手段】
【０００６】
本発明は、排水路を備え、建物躯体に設けられている排水配管の入口部に前記排水路の出口部を挿入して連通させる衛生設備機器において、前記排水路の前記出口部には、前記排水配管の前記入口部と前記排水路の前記出口部との間の水密を保持するパッキンを備え、このパッキンは、前記排水路の前記出口部に外嵌される内筒部と、この内筒部に連続して形成され前記排水路の前記出口部の上流側から下流側へ向けて変形可能な変形部と、この変形部に連続して形成され前記変形部が変形することで前記排水配管の前記入口部を外側から覆うことが可能な外筒部と、を有する衛生設備機器である。
【０００７】
このように構成された本発明においては、衛生設備機器の排水路の出口部の軸心と排水配管の入口部の軸心とがずれ、いずれかの方向へ片寄った状態で挿入された場合においても、外筒部と排水配管の入口部との間の水密が保たれる。さらに、複数の径の排水配管に対して、その入口部と排水路の出口部との間の水密を保つことができ、排水配管の径ごとにパッキンを用意しなくともよく、手間がかからない。
【０００８】
本発明は、さらに、前記パッキンの前記内筒部は、その外周から突出するリング状の弾性リップを有する構成としてもよい。
【０００９】
このように構成された本発明においては、弾性リップにより、排水路の出口部と排水配管の入口部との間の水密をより確実に保つことができる。
【００１０】
本発明は、さらに、前記排水路の前記出口部の下流端は、その外周から突出するリブ部を有する構成としてもよい。
【００１１】
このように構成された本発明においては、パッキンを排水路の出口部に外嵌する際に、リブ部によって、パッキンが排水路の出口部により密着する。そのため、排水路の出口部とパッキンとの間の水密をより確実に保つことができる。
【００１２】
本発明は、さらに、前記外筒部の前記変形部側とは逆側の端部には、その内周から突出する凸部が設けられている構成としてもよい。
【００１３】
このように構成された本発明においては、外筒部により排水配管の出口部を覆う際に、凸部を掴んで外筒部を操作することでそれを簡単に行うことができる。
【発明の効果】
【００１４】
本発明の衛生設備機器によれば、施工性を低下させることなく、衛生設備機器の出口部と排水配管の入口部との位置関係が所定の位置関係からずれた状態で施工されても漏水を防止することが可能となる。
【図面の簡単な説明】
【００１５】
【図１】本発明の一実施形態に係る大便器を排水配管へ連通させた状態を示す部分断面図。
【図２】（ａ）本発明の一実施形態に係る大便器の排水路の出口部を示す拡大部分断面図。（ｂ）本発明の一実施形態に係る大便器を排水配管へ連通させた状態における排水路の出口部を示す拡大部分断面図。
【発明を実施するための形態】
【００１６】
以下、図面を参照して本発明の一実施形態に係る大便器について説明する。図１は本発明の一実施形態に係る大便器が排水配管に連通した状態を示す部分断面図である。
【００１７】
図１に示すように、本発明の一実施形態に係る大便器１００（衛生設備機器）は、床Ｆ上に載置される大便器本体１２０と、この大便器本体１２０に設けられる排水路１４０と、この排水路１４０の出口部１４２に取り付けられるパッキン１６０とを備える。
【００１８】
排水路１４０は、その下流側端部である出口部１４２が、壁Ｗ（建物躯体）から突出した排水配管２００の上流側端部である入口部２０２に挿入されることで連通する。排水路１４０には、大便器本体１２０へ排泄された汚物及びそれを洗浄するための洗浄水が流れ込むとともに、排水配管２００へと汚物及び洗浄水を導く。また、排水路１４０の出口部１４２の下流端は、外側へ向けて突出するリブ部１４２ａ（図２参照）を有する。なお、本実施形態においては、排水路１４０の出口部１４２は大便器本体１２０と一体的に形成されているが、本発明はこのような構成に限定されるものではない。例えば、大便器本体とは別体の排水ソケットを排水路の下流端部に取り付け、排水ソケットを排水路の出口部とする構成としてもよい。
【００１９】
パッキン１６０は、詳細は後述するが、大便器１００の排水路１４０の出口部１４２が排水配管２００の入口部２０２に挿入された状態で、大便器１００の排水路１４０の出口部１４２と排水配管２００の入口部２０２との間の水密を保つ。
【００２０】
なお、本実施形態において、排水配管２００の入口部２０２に大便器１００の排水路１４０の出口部１４２が挿入されているが、本発明において排水配管の入口部へ排水路の出口部を挿入する衛生設備機器は大便器に限定されるものではなく、例えば、小便器や手洗い器、汚物流し等でもよい。また、本実施形態において、排水配管２００は壁Ｗから突出しているが、本発明における衛生設備機器の排水路の出口部が挿入される排水配管は、壁に限らず建物躯体であれば床等から突出するものでもよい。
【００２１】
次に、図２（ａ）及び（ｂ）を参照して本発明の一実施形態に係る大便器のパッキンについて説明する。図２（ａ）は本発明の一実施形態に係る大便器の排水路の出口部を示す拡大部分断面図であり、図２（ｂ）は本発明の一実施形態に係る大便器を排水配管へ連通させた状態における排水路の出口部を示す拡大部分断面図である。
【００２２】
図２（ａ）及び（ｂ）に示すように、パッキン１６０は、全体として略円筒状である。パッキン１６０は、排水路１４０の出口部１４２に外嵌される内筒部１６２と、この内筒部１６２に連続して形成される変形部１６４と、この変形部１６４に連続して形成される外筒部１６６とを有する。
【００２３】
内筒部１６２は、その外周から突出する複数のリング状の弾性リップ１６２ａと、内向きの鍔状部１６２ｂとを有する。弾性リップ１６２ａは、排水路１４０の出口部１４２を排水配管２００の入口部２０２に挿入する際に、その挿入方向とは逆方向へ変形し、その変形によりパッキン１６０と排水配管２００の入口部２０２内周との間の水密を保持する。鍔状部１６２ｂは、パッキン１６０を取り付けた排水路１４０の出口部１４２を排水配管２００の入口部２０２に挿入する際、パッキン１６０と排水配管２００の入口部２０２内壁との間の摩擦によるパッキン１６０の所定位置からのずれを防止する。
【００２４】
変形部１６４は、排水路１４０の出口部１４２の上流側から下流側へ向けて変形可能である。また、外筒部１６６は、変形部１６４が変形することで排水配管２００の入口部２０２を外側から覆うことが可能である。変形部１６４を変形させ、外筒部１６６により排水配管２００の入口部２０２を覆った後、外筒部１６６にホースバンド等の締結具（図示せず）を外嵌して締め付けることで、外筒部１６６と排水配管２００の入口部２０２外周との間の水密を保持することができる。なお、ホースバンド等の締結具（図示せず）を用いず、外筒部１６６の弾性力のみにて外筒部１６６と排水配管２００の入口部２０２外周との間の水密を保持するように構成してもよい。さらに、外筒部１６６の変形部１６４側とは逆側の端部には、その内周から突出する凸部１６６ａが設けられている。
【００２５】
次に、図２（ａ）及び（ｂ）を参照して、本発明の一実施形態である大便器１００の取り付けについて簡単に説明する。
【００２６】
図２（ａ）に示すように、壁Ｗから突出した排水配管２００の入口部２０２に向けて、パッキン１６０が取り付けられた大便器１００の排水路１４０の出口部１４２を挿入する。この際、パッキン１６０の内筒部１６２内周は排水路１４０の出口部１４２のリブ部１４２ａにより押圧されるとともに、内筒部１６２と排水路１４０の出口部１４２外周と密着している。また、パッキン１６０の変形部１６４は排水路１４０の出口部１４２の上流側から下流側へは変形せず、大便器本体１２０の外周に沿った状態となっている。
【００２７】
図２（ａ）及び（ｂ）に示すように、排水配管２００の入口部２０２内に、大便器１００の排水路１４０の出口部１４２を挿入すると、パッキン１６０の内筒部１６２の弾性リップ１６２ａが排水配管２００の入口部２０２の内周壁により変形し、その先端が出口部１４２の上流側（図２における右側）へと向く。この弾性リップ１６２ａの変形により、排水路１４０の出口部１４２と排水配管２００の入口部２０２との間の水密が保持される。
【００２８】
次に、図２（ｂ）に示すように、排水配管２００の入口部２０２内に、大便器１００の排水路１４０の出口部１４２を挿入した後、パッキン１６０の外筒部１６６の凸部１６６ａを掴んで外筒部１６６を排水配管２００の入口部２０２へ向けて操作する。この操作により変形部１６４が排水路１４０の出口部１４２の上流側から下流側（図２における右側から左側）へと変形し、外筒部１６６が排水配管２００の入口部２０２を外側から覆う。その後、締結具（図示せず）により外筒部１６６を外側から締め付け、外筒部１６６を排水配管２００の入口部２０２外周に密着させ、水密を保持する。
【００２９】
上述した本発明の一実施形態による大便器１００によれば、大便器１００の排水路１４０の出口部１４２の軸心と排水配管２００の入口部２０２の軸心とがずれ、いずれかの方向へ片寄った状態で挿入され、内筒部１６２と排水配管２００の入口部２０２内周との間の水密が保持できない場合が生じたとしても、外筒部１６６と排水配管２００の入口部２０２との間の水密は保持される。そのため、大便器１００の排水路１４０の出口部１４２の軸心と排水配管２００の入口部２０２の軸心とがずれて挿入された場合においても、漏水が防がれる。また、ＶＰ管やＶＵ管といった複数の径の排水配管に対して、その入口部と排水路１４０の出口部１４２との間の水密を保つことができ、排水配管の径ごとにパッキンを用意しなくともよく、施工の際に手間がかからない。
【００３０】
さらに、上述した本発明の一実施形態による大便器１００によれば、パッキン１６０の内筒部１６２が弾性リップ１６２ａを有するため、排水路１４０の出口部１４２と排水配管２００の入口部２０２との間の水密をより確実に保つことができる。また、パッキン１６０の内筒部１６２を排水路１４０の出口部１４２に外嵌する際に、リブ部１４２ａによって、内筒部１６２が排水路１４０の出口部１４２により密着するため、排水路１４０の出口部１４２と内筒部１６２との間の水密をより確実に保つことができる。
【００３１】
また、上述した本発明の一実施形態による大便器１００によれば、パッキン１６０の外筒部１６６に凸部１６６ａが設けられているため、外筒部１６６により排水配管２００の入口部２０２を覆う際に、凸部１６６ａを掴んで外筒部１６６を操作することでそれを簡単に行うことができ、施工に手間がかからない。
【符号の説明】
【００３２】
１００…大便器
１２０…大便器本体
１４０…排水路
１４２…出口部
１４２ａ…リブ部
１６０…パッキン
１６２…内筒部
１６２ａ…弾性リップ
１６２ｂ…鍔状部
１６４…変形部
１６６…外筒部
１６６ａ…凸部
２００…排水配管
２０２…入口部
Ｗ…壁
Ｆ…床
【図１】
2014173282.tif 000003
【図２】
2014173282.tif 000004